(57)【要約】【課題】折り畳んで展開することが可能な上、耐久性を備えて安全性が高い伸縮浴槽構造を提供する。【解決手段】伸縮浴槽構造は、浴槽本体２及び環状の支持座１を備える。浴槽本体２は、環状の槽壁２１、浴槽縁部及び槽底２３が一体成形されるとともに、環状の槽壁２１上端の外側周縁には、環状の浴槽縁部が一体に連続接続される。環状の槽壁２１底端の内側周縁には、槽底２３が一体に連続接続され、環状の槽壁２１及び槽底２３により取り囲んで収容槽２４が形成される。環状の槽壁２１には、浴槽縁部から槽底２３に向かって複数の環状の折り曲げ部２５が順次間隔を隔てて形成される。環状の支持座１の中央部には、環状孔が形成される。支持座１の環状孔中には、浴槽本体２が配設される。浴槽本体２の環状の浴槽縁部は、支持座１の頂面を対応して覆うとともに、支持座１に連結固定される。【選択図】図１
0003221396.tif 000002
【実用新案登録請求の範囲】
【請求項１】
浴槽本体及び環状の支持座を備えた伸縮浴槽構造であって、
前記浴槽本体は、環状の槽壁、浴槽縁部及び槽底が一体成形されるとともに、環状の前記槽壁上端の外側周縁には、環状の前記浴槽縁部が一体に連続接続され、環状の前記槽壁底端の内側周縁には、前記槽底が一体に連続接続され、環状の前記槽壁及び前記槽底により取り囲んで収容槽が形成され、
環状の前記槽壁には、前記浴槽縁部から前記槽底に向かって複数の環状の折り曲げ部が順次間隔を隔てて形成され、
環状の前記支持座の中央部には、環状孔が形成され、前記支持座の前記環状孔中には、前記浴槽本体が配設され、
前記浴槽本体の環状の前記浴槽縁部は、前記支持座の頂面を対応して覆うとともに、前記支持座に連結固定されることを特徴とする、
伸縮浴槽構造。
【請求項２】
前記浴槽本体の前記収容槽の前記槽底には、ストッパが一体成形されていることを特徴とする請求項１に記載の伸縮浴槽構造。
【請求項３】
前記支持座は、前端及び後端を有し、前記支持座の底面の前端及び後端の両側には、第１の組立部がそれぞれ設けられ、前記第１の組立部は、枢着孔を有し、前記第１の組立部の前記枢着孔の側部には、フック溝が形成され、前記支持座下には、２つの脚フレームが位置し、前記脚フレームの両側の上端には、第２の組立部がそれぞれ設けられ、前記第２の組立部は、ヒンジ部を有するとともに、前記ヒンジ部に隣り合うように爪部が設けられ、２つの前記脚フレームの２つの前記第２の組立部の前記ヒンジ部は、前記支持座の前端及び後端の両側の前記第１の組立部の前記枢着孔に枢着され、２つの前記脚フレームの２つの前記第２の組立部の前記爪部は、前記支持座の前端及び後端の両側の前記第１の組立部の前記フック溝にそれぞれ着脱可能に係合されることを特徴とする請求項１に記載の伸縮浴槽構造。
【考案の詳細な説明】
【技術分野】
【０００１】
本考案は、伸縮浴槽構造に関し、特に、折り畳み可能で、耐久性を備えて長期間使用可能な伸縮浴槽構造に関する。
【背景技術】
【０００２】
特許文献１の「折り畳み可能な浴槽」、特許文献２の「フォルダブル・バスタブ（Ｆｏｌｄａｂｌｅ  ｂａｔｈ  ｔｕｂ）」及び特許文献３の「フォルダブル・バスタブ（Ｆｏｌｄａｂｌｅ  ｂａｔｈ  ｔｕｂ）」などで開示されている折り畳み可能な浴槽は、底板と、パネルと、底板とパネルとの間に接続された折り畳み可能な環状の槽壁と、を含む。底板及びパネルは、ポリプロピレン（ＰＰ）により１次射出成形され、環状の槽壁は、熱可塑性エラストマー（ＴＰＥ）により２次射出成形される。底板は、平面部分と、平面部分の縁部から上方へ延びた下接続壁と、を含み、下接続壁と環状の槽壁の下端とを接続する。パネルは、環状の浴槽縁部と、浴槽縁部から下向きに延びて形成された上接続壁と、を含み、上接続壁は環状の槽壁の上端に接続される。それによって、折り畳み可能な環状の槽壁を利用し、浴槽を使用しないときには折り畳んで小型化することができる。そのため、広いスペースを取らず、浴槽を使用するときには、折り畳んだ環状の槽壁を引き離すと、浴槽を展開して使用することができる。
【０００３】
しかし、上述した特許文献１〜３では、実際に使用すると分かるように、環状の槽壁の上下端がパネルの上接続壁及び底板の下接続壁にそれぞれ接続されているため、浴槽を何度も折り畳んだり伸ばして展開したりする過程で、浴槽の底板の下接続壁と環状の槽壁の下端との接続箇所と、パネルの上接続壁と環状の槽壁の上端の接続箇所とで外れて損壊してしまうことがあった。
特に、底板及びパネルは、ポリプロピレン（ＰＰ）により射出成形され、環状の槽壁は、熱可塑性エラストマー（ＴＰＥ）により射出成形される。このような異なる材料同士が結合された構造により、環状の槽壁の上下端が、パネルの上接続壁及び底板の下接続壁との接続箇所で外れてしまい、折り畳み可能な伸縮浴槽の使用寿命が大幅に短縮してしまう虞があった。
【先行技術文献】
【特許文献】
【０００４】
【特許文献１】中国特許第１０２６３０１４９Ａ号公報
【特許文献２】香港特許１１７１３５２号明細書
【特許文献３】米国特許第８６０７３７５Ｂ２号明細書
【考案の概要】
【考案が解決しようとする課題】
【０００５】
本考案の主な目的は、浴槽本体が熱可塑性ゴムにより一体成形されているため折り畳んで展開することが可能な上、耐久性を備えて安全性が高い伸縮浴槽構造を提供することにある。
【課題を解決するための手段】
【０００６】
上記課題を解決するために、本考案の第１の形態によれば、浴槽本体及び環状の支持座を備えた伸縮浴槽構造であって、前記浴槽本体は、環状の槽壁、浴槽縁部及び槽底が一体成形されるとともに、環状の前記槽壁上端の外側周縁には、環状の前記浴槽縁部が一体に連続接続され、環状の前記槽壁底端の内側周縁には、前記槽底が一体に連続接続され、環状の前記槽壁及び前記槽底により取り囲んで収容槽が形成され、環状の前記槽壁には、前記浴槽縁部から前記槽底に向かって複数の環状の折り曲げ部が順次間隔を隔てて形成され、環状の前記支持座の中央部には、環状孔が形成され、前記支持座の前記環状孔中には、前記浴槽本体が配設され、前記浴槽本体の環状の前記浴槽縁部は、前記支持座の頂面を対応して覆うとともに、前記支持座に連結固定されることを特徴とする伸縮浴槽構造を提供する。
【考案の効果】
【０００７】
本考案の伸縮浴槽構造は、浴槽本体の環状の槽壁、浴槽縁部及び槽底が一体成形されているため、浴槽本体の構造強度を大幅に高めて浴槽本体を何度も折り畳んだり展開したりしても、外れて損壊してしまうことを防ぎ、伸縮浴槽の使用寿命を大幅に延ばすことができる。
【図面の簡単な説明】
【０００８】
【図１】本考案の一実施形態に係る伸縮浴槽構造を示す分解斜視図である。
【図２】本考案の一実施形態に係る伸縮浴槽構造を展開した状態を示す斜視図である。
【図３】本考案の一実施形態に係る伸縮浴槽構造を展開した状態を示す別の角度からの斜視図である。
【図４】本考案の一実施形態に係る伸縮浴槽構造を展開した状態を示す断面図である。
【図５】本考案の一実施形態に係る伸縮浴槽構造を展開した状態を示す一部拡大図である。
【図６】本考案の一実施形態に係る伸縮浴槽構造を折り畳んだ状態を示す斜視図である。
【図７】本考案の一実施形態に係る伸縮浴槽構造を折り畳んだ状態を示す断面図である。
【考案を実施するための形態】
【０００９】
まず、図１〜図５を参照する。図１〜図５に示すように、本考案の一実施形態に係る伸縮浴槽構造は、少なくとも支持座１と、浴槽本体２と、２つの保護スリーブ３と、２つの脚フレーム４と、から構成されてなる。
【００１０】
支持座１は、ポリプロピレン（Ｐｏｌｙｐｒｏｐｙｌｅｎｅ：ＰＰ）により一体射出成形され、環状の支持座１の中央部には環状孔１１が形成される。支持座１は、前端及び後端を有し、支持座１の底面の前端及び後端の左右両側には、第１の組立部１２がそれぞれ設けられる。第１の組立部１２は、枢着孔１２１を有する。第１の組立部１２の枢着孔１２１の側部には、フック溝１２２が形成される。支持座１の後端には、吊下部１３が設けられる。支持座１上には、複数のロック孔１４が形成される。
【００１１】
浴槽本体２は、熱可塑性エラストマー（Ｔｈｅｒｍｏｐｌａｓｔｉｃ  Ｅｌａｓｔｏｍｅｒ：ＴＰＥ）により一体射出成形されるとともに、支持座１の環状孔１１中に配設される。浴槽本体２には、環状の槽壁２１、環状の浴槽縁部２２及び槽底２３が一体成形される。環状の槽壁２１上端の外側周縁には、環状の浴槽縁部２２が一体に連続接続され、環状の槽壁２１底端の内側周縁には、槽底２３が一体に連続接続され、環状の槽壁２１及び槽底２３により取り囲んで収容槽２４を形成し、浴槽本体２の環状の浴槽縁部２２が支持座１の頂面を対応して覆い、環状の浴槽縁部２２の底面には複数のロック部２２１が設けられ、複数のロック部２２１と支持座１の複数のロック孔１４とは位置が対応する。
複数の螺着部材５はねじであり、複数の螺着部材５を支持座１及び浴槽本体２の対応したロック孔１４及びロック部２２１に挿通し、支持座１と浴槽本体２とを螺着する。環状の槽壁２１には、浴槽縁部２２から槽底２３に向かって複数の環状の折り曲げ部２５が順次間隔を隔てて形成される。浴槽本体２の収容槽２４の槽底には、中央部に隣り合う箇所にストッパ２６が一体成形されるとともに、排水孔２４１が形成される。排水孔２４１は、蓋キャップ２７により着脱可能に覆われる。浴槽本体２の槽底２３の底面には、複数の当接板２８が成形される。浴槽本体２の環状の浴槽縁部２２の左右両側には、保護スリーブ組立部２９がそれぞれ凹設される。
【００１２】
２つの保護スリーブ３は、浴槽本体２の２つの保護スリーブ組立部２９にそれぞれ対応して取り付けられるとともに、熱可塑性ゴム（Ｔｈｅｒｍｏｐｌａｓｔｉｃ  Ｒｕｂｂｅｒ：ＴＰＲ）からなる。
【００１３】
２つの脚フレーム４は、支持座１下に位置する。脚フレーム４の左右両側の上端には、第２の組立部４１がそれぞれ設けられる。第２の組立部４１は、ヒンジ部４１１を有するとともに、ヒンジ部４１１に隣り合うように爪部４１２が設けられ、２つの脚フレーム４の２つの第２の組立部４１のヒンジ部４１１は、支持座１の前端及び後端の左右両側の第１の組立部１２の枢着孔１２１が枢着され、２つの脚フレーム４の２つの第２の組立部４１の爪部４１２は、支持座１の前端及び後端の左右両側の第１の組立部１２のフック溝１２２にそれぞれ着脱可能に係合される。脚フレーム４はポリプロピレン（Ｐｏｌｙｐｒｏｐｙｌｅｎｅ：ＰＰ）からなり、２つの脚フレーム４の左右両側の底端には、ゴム材料からなる滑り止めブロック４２が取り付けられる。
【００１４】
ここで、乳幼児の両親などである使用者は、乳幼児を入浴させる際、本実施形態の２つの脚フレーム４の第２の組立部４１に設けたヒンジ部４１１が、支持座１の第１の組立部１２の枢着孔１２１に枢着されているため、２つの脚フレーム４を旋回展開させ、２つの脚フレーム４を展開して位置決めすると、２つの脚フレーム４の第２の組立部４１の爪部４１２が、支持座１の第１の組立部１２のフック溝１２２に係合位置決めされる。このとき２つの脚フレーム４が地面に立設し、２つの脚フレーム４の底端の滑り止めブロック４２が地面に接触されるため、脚フレーム４を地面に立設する安定性が高まる。続いて、使用者は力を加えて浴槽本体２を環状の槽壁２１の環状の折り曲げ部２５に沿って展開し、浴槽本体２の槽底２３の底面に設けた当接板２８を地面に当接させるため、浴槽本体２の支持強度を高めることができる。
【００１５】
その後、使用者は、展開した浴槽本体２により形成した収容槽２４中に水を注入してから、浴槽本体２の収容槽２４内に乳幼児を座らせて水中に漬け、乳幼児を収容槽２４の槽壁に寄り掛からせると、収容槽２４の槽底に位置するストッパ２６により乳幼児の股下を止め、乳幼児の体が滑り落ちることを防ぐ。そのため、乳幼児の身体を浴槽本体２の収容槽２４中に安定的に寄り掛からせたときに頭部、首部が水面より高い位置に保たれ、乳幼児を入浴させるとき、鼻孔又は耳から水が入って噎せてしまうことを防ぎ、乳幼児を入浴させる際の安全性を高めることができる。
浴槽本体２全体は、熱可塑性エラストマーにより成形されてその材料が無毒であり柔軟性を有するため、乳幼児は快適に入浴することができる。乳幼児の父母などの使用者が乳幼児を入浴させるとき、両腕を２つの保護スリーブ３上にそれぞれ当接させることができるため、使用者は乳幼児を入浴させるときに、腕などの快適性を高めることができる。乳幼児の入浴が終了すると、使用者は、排水孔２４１を覆っている蓋キャップ２７を引き起こして開き、収容槽２４内の水を排出させることができる。
【００１６】
図６及び図７を併せて参照する。図６及び図７に示すように、使用者が力を加えて浴槽本体２を環状の折り曲げ部２５に沿って折り畳んで扁平状にした後、２つの脚フレーム４を浴槽本体２の底部に向けて折り畳み、支持座１の底面に当接させて位置決めすると、本考案が占めるスペースが大幅に減り、支持座１の後端に設けた吊下部１３を利用し、環境空間の何れか１つのフックに吊下げることができるため、乾燥を都合よく行うことができる。
【００１７】
ここで、本考案の浴槽本体２には、熱可塑性エラストマー（ＴＰＥ）により環状の槽壁２１、浴槽縁部２２及び槽底２３が一体射出成形されているため、構造強度が高い。また、従来の特許文献１〜３のように、環状の槽壁の上下端と、パネルの上接続壁及び底板の下接続壁とが異なる材料同士で結合されていないため、浴槽を何度も折り曲げたり伸ばして展開したりしても、環状の槽壁がパネル及び底板との接続箇所で外れて損壊することがなく、本考案の伸縮浴槽の使用寿命を大幅に延ばすことができる。
【符号の説明】
【００１８】
１      支持座
２      浴槽本体
３      保護スリーブ
４      脚フレーム
５      螺着部材
１１    環状孔
１２    第１の組立部
１３    吊下部
１４    ロック孔
２１    槽壁
２２    浴槽縁部
２３    槽底
２４    収容槽
２５    折り曲げ部
２６    ストッパ
２７    蓋キャップ
２８    当接板
２９    保護スリーブ組立部
４１    第２の組立部
４２    滑り止めブロック
１２１  枢着孔
１２２  フック溝
２２１  ロック部
２４１  排水孔
４１１  ヒンジ部
４１２  爪部
【図１】
0003221396.tif 000003
【図２】
0003221396.tif 000004
【図３】
0003221396.tif 000005
【図４】
0003221396.tif 000006
【図５】
0003221396.tif 000007
【図６】
0003221396.tif 000008
【図７】
0003221396.tif 000009